(57)【要約】【課題】見通し環境におけるＭＩＭＯ伝送において、空間相関の低減をより狭いスペースで実現すること。【解決手段】実施形態のアンテナ装置は、所定の周波数帯域の電磁波を放射するアンテナ素子と、前記周波数帯域の電磁波の位相を回転させて透過するメタマテリアルと、前記アンテナ素子から放射された異なる経路で伝播する電磁波について、空間相関を低減する位相回転量が付与されるように前記メタマテリアルを制御するメタマテリアル制御部と、を備える。【選択図】図５
2016208400.tif 000002
【特許請求の範囲】
【請求項１】
所定の周波数帯域の電磁波を放射するアンテナ素子と、
前記周波数帯域の電磁波の位相を回転させて透過するメタマテリアルと、
前記アンテナ素子から放射された異なる経路で伝播する電磁波について、空間相関を低減する位相回転量が付与されるように前記メタマテリアルを制御するメタマテリアル制御部と、
を備えるアンテナ装置。
【請求項２】
前記メタマテリアル制御部は、前記メタマテリアルを透過する電磁波に対して空間相関を低減する位相回転量が付与されるように、前記メタマテリアルに対する前記電磁波の入射角度を制御する、
請求項１に記載のアンテナ装置。
【請求項３】
前記メタマテリアルは、前記アンテナ素子が電磁波を放射する方向に複数配置され、
前記メタマテリアル制御部は、複数の前記メタマテリアルの間隔を変化させることによって前記入射角度を制御する、
請求項２に記載のアンテナ装置。
【請求項４】
前記メタマテリアル制御部は、前記メタマテリアルを回転させることによって前記入射角度を制御する、
請求項３に記載のアンテナ装置。
【請求項５】
前記メタマテリアルは、透過する電磁波に対して位相回転を与える特性を変化させる外的要因を自身に印加する構成を備えたアクティブメタマテリアルであり、
前記メタマテリアル制御部は、前記メタマテリアルを透過する電磁波に対して空間相関を低減する位相回転量が付与されるように、前記アクティブメタマテリアルに対する前記外的要因の印加量を制御する、
請求項１に記載のアンテナ装置。
【請求項６】
前記アクティブメタマテリアルは可変容量ダイオードを備え、透過する電磁波に対して、前記可変容量ダイオードにより印加される電圧に応じた位相回転量を付与し、
前記メタマテリアル制御部は、前記メタマテリアルを透過する電磁波に対して空間相関を低減する位相回転量が付与されるように、前記可変容量ダイオードの電圧を制御する、
請求項５に記載のアンテナ装置。
【請求項７】
所定の周波数帯域の電磁波を放射するアンテナ素子と、前記周波数帯域の電磁波の位相を回転させて透過するメタマテリアルと、を備えるアンテナ装置が行う制御方法であって、
前記アンテナ素子から放射された異なる経路で伝播する電磁波について、空間相関を低減する位相回転量が付与されるように前記メタマテリアルを制御するメタマテリアル制御ステップを有する、
制御方法。
【発明の詳細な説明】
【技術分野】
【０００１】
本発明は、アンテナを制御する技術に関する。
【背景技術】
【０００２】
無線通信における高速伝送技術の１つに、複数の送受信アンテナを用いて信号を伝送するＭＩＭＯ（Multiple-Input Multiple-Output）伝送がある。ＭＩＭＯ伝送では、通信チャネル間の空間相関が低いほどチャネル容量を拡張することができる。そのため、マルチパス環境下において高速伝送を実現する手法としてＭＩＭＯ伝送が注目されている。
【０００３】
一方、見通しが良く直接波が支配的な環境（以下、「見通し環境」という。）では、通信チャネル間の空間相関が高くなる。そのため、このような見通し環境では、ＭＩＭＯ伝送によるチャネル容量の拡張効果は十分に得られない可能性がある。このような問題を解決するための１つの手法として、アンテナ素子の間隔を広げる手法が提案されている（例えば、非特許文献１参照）。
【先行技術文献】
【非特許文献】
【０００４】
【非特許文献１】小川恭孝、大鐘武雄、西村寿彦、「ＭＩＭＯによる超高速化」、通信ソサイエティマガジンＮｏ．１１［冬号］２００９
【発明の概要】
【発明が解決しようとする課題】
【０００５】
しかしながら、アンテナを設置する環境によっては、アンテナ素子の間隔を十分に広げることができない場合がある。そのため、従来技術は、必ずしも全ての見通し環境において有効な解決手段とならない可能性があった。
【０００６】
上記事情に鑑み、本発明は、見通し環境におけるＭＩＭＯ伝送において、空間相関の低減をより狭いスペースで実現することができるアンテナ装置及び制御方法を提供することを目的としている。
【課題を解決するための手段】
【０００７】
本発明の一態様は、所定の周波数帯域の電磁波を放射するアンテナ素子と、前記周波数帯域の電磁波の位相を回転させて透過するメタマテリアルと、前記アンテナ素子から放射された異なる経路で伝播する電磁波について、空間相関を低減する位相回転量が付与されるように前記メタマテリアルを制御するメタマテリアル制御部と、を備えるアンテナ装置である。
【０００８】
本発明の一態様は、上記のアンテナ装置であって、前記メタマテリアル制御部は、前記メタマテリアルを透過する電磁波に対して空間相関を低減する位相回転量が付与されるように、前記メタマテリアルに対する前記電磁波の入射角度を制御する。
【０００９】
本発明の一態様は、上記のアンテナ装置であって、前記メタマテリアルは、前記アンテナ素子が電磁波を放射する方向に複数配置され、前記メタマテリアル制御部は、複数の前記メタマテリアルの間隔を変化させることによって前記入射角度を制御する。
【００１０】
本発明の一態様は、上記のアンテナ装置であって、前記メタマテリアル制御部は、前記メタマテリアルを回転させることによって前記入射角度を制御する。
【００１１】
本発明の一態様は、上記のアンテナ装置であって、前記メタマテリアルは、透過する電磁波に対して位相回転を与える特性を変化させる外的要因を自身に印加する構成を備えたアクティブメタマテリアルであり、前記メタマテリアル制御部は、前記メタマテリアルを透過する電磁波に対して空間相関を低減する位相回転量が付与されるように、前記アクティブメタマテリアルに対する前記外的要因の印加量を制御する。
【００１２】
本発明の一態様は、上記のアンテナ装置であって、前記アクティブメタマテリアルは可変容量ダイオードを備え、透過する電磁波に対して、前記可変容量ダイオードにより印加される電圧に応じた位相回転量を付与し、前記メタマテリアル制御部は、前記メタマテリアルを透過する電磁波に対して空間相関を低減する位相回転量が付与されるように、前記可変容量ダイオードの電圧を制御する。
【００１３】
本発明の一態様は、所定の周波数帯域の電磁波を放射するアンテナ素子と、前記周波数帯域の電磁波の位相を回転させて透過するメタマテリアルと、を備えるアンテナ装置が行う制御方法であって、前記アンテナ素子から放射された異なる経路で伝播する電磁波について、空間相関を低減する位相回転量が付与されるように前記メタマテリアルを制御するメタマテリアル制御ステップを有する、制御方法である。
【発明の効果】
【００１４】
本発明により、見通し環境におけるＭＩＭＯ伝送において、空間相関の低減をより狭いスペースで実現することが可能となる。
【図面の簡単な説明】
【００１５】
【図１】ＭＩＭＯ伝送を行う無線通信システムの概要を示す概略図である。
【図２】メタマテリアル素子の具体例を示す図である。
【図３】メタマテリアル素子を透過した電磁波の位相回転量と、電磁波の入射角度との関係をシミュレーションにより解析した結果を示す図である。
【図４】メタマテリアル素子を透過した電磁波の位相回転量と、共振回路のスリット幅との関係をシミュレーションにより解析した結果を示す図である。
【図５】ＭＩＭＯ伝送を行う無線通信システムにおいて、電磁波の放射方向にメタマテリアルが配置された様子を示す概略図である。
【図６】第１実施形態のアンテナ装置１の機能構成を示す機能ブロック図である。
【図７】メタマテリアル１２に対する電磁波の入射角度を制御する第１の具体例を示す図である。
【図８】メタマテリアル１２に対する電磁波の入射角度を制御する第２の具体例を示す図である。
【図９】メタマテリアル１２に対する電磁波の入射角度を制御する第３の具体例を示す図である。
【図１０】第２実施形態のアンテナ装置の機能構成を示す機能ブロック図である。
【図１１】メタマテリアル１２ａを構成するアクティブメタマテリアル素子の概要を示す概略図である。
【発明を実施するための形態】
【００１６】
＜概略＞
図１は、ＭＩＭＯ伝送を行う無線通信システムの概要を示す概略図である。
ＭＩＭＯ伝送を行う送信機１００及び受信機２００は、それぞれ複数のアンテナを持つ。例えば、図１の送信機１００は、符号１０１−１〜１０１−ｍ（ｍは２以上の整数）で示されるｍ個のアンテナ装置を備え、受信機２００は、符号２０１−１〜２０１−ｎ（ｎは２以上の整数）で示されるｎ個のアンテナ装置を備える。ｍ及びｎは同数であってもよいし、異なる数であってもよい。送信機１００及び受信機２００は、複数のアンテナ装置を用いて空間分割多重方式（ＳＤＭ:Space Division Multiplexing）により信号を送受信する。以下、説明を簡単にするため、特に区別する必要がない場合において、アンテナ装置１０１−１〜１０１−ｍをアンテナ装置１０１と記載することとする。また、アンテナ装置２０１−１〜２０１−ｎについても同様に、特に区別する必要がない場合において、アンテナ装置２０１と記載することとする。ＳＤＭによる信号の送受信の概要は次のとおりである。
【００１７】
送信機１００は、同じ周波数の異なる信号を、複数のアンテナ装置１０１から同じタイミングで送信する。受信機２００は、送信機１００から送信された信号を、直接波と反射波とが重ね合わさった形で受信する。受信機２００は、予め推定したチャネル情報に基づいて、受信した信号を分離する。このチャネル情報には、信号が無線チャネルを経由した際に受ける減衰量や位相回転量などの推定値が含まれる。送信機１００及び受信機２００は、所定のパターンを持つパイロット信号を送受信することによって、予めチャネル情報を推定する。
【００１８】
このようなＭＩＭＯ伝送では、無線チャネル間の空間相関が低いほど、チャネル容量が増大することが知られている。この空間相関を低下させる方法の１つに、各アンテナ素子間の距離を長くとる手法があるが、送受信機が設置される環境によってはこの手法を適用することができない場合がある。
【００１９】
一方、近年では、メタマテリアルという人工物質に関する研究が行われている。メタマテリアルは、波長と比べて小さな誘電体や金属導体などを単位粒子（以下、「メタマテリアル素子」という。）として、メタマテリアル素子が周期的に配列されて構成された構造体である。このように構成されるメタマテリアルは、ＥＢＧ（Electro-magnetic Band Gap）特性を持つ。ＥＢＧ特性とは、周波数帯域によって電磁波を反射又は透過させる特性である。このようなＥＢＧ特性を持つメタマテリアルは、電磁波の制御を必要とする様々な用途への適用が期待されている。
【００２０】
図２は、メタマテリアル素子の具体例を示す図である。
図２のメタマテリアル素子３００は、金属でできた分割リング状の共振回路（ＳＲＲ：Split Ring Resonator）３０１−１及び３０１−２（以下、まとめて「共振回路３０１」と記載する。）と、金属ワイヤー３０２とが、誘電体である基盤３０３上に形成されたものである。図２の矢印３０４は、共振回路３０１におけるリングの分割部分の間隔（以下、「スリット幅」という。）を示す。図２では、説明の便宜上、共振回路３０１及び金属ワイヤー３０２を同一面に記載しているが、実際には、共振回路３０１及び金属ワイヤー３０２は、それぞれ、基盤３０３の前面及び背面の異なる面に形成される。図２のメタマテリアル素子３００において、共振回路３０１は入射波により生じる電磁場に対して磁気的応答を示し、金属ワイヤー３０２は電気的応答を示す。この共振回路３０１と金属ワイヤー３０２とによる、磁気的応答及び電気的応答が相互に作用することにより、メタマテリアルはＥＧＢ特性を示す。
【００２１】
このようなメタマテリアルによる電磁気的応答に関する特性は、メタマテリアルを構成する素子の構造や形状、配列の周期、電磁波の入射角度等に応じて変化する。このような特性の変化について、Smithらは、構成の異なるメタマテリアルが示す電磁気的応答の特性について報告している（参考文献：D.R.Smith, D.C.Vier, Th.Koschny, C.M.Soukoulis、「Electromagnetic parameter retrieval from inhomogeneous metamaterials」、PHYSICAL REVIEW E 71, 036617 (2005)）。このような応答特性の一つとして、メタマテリアルには、透過波の位相を回転させる特性がある。
【００２２】
図３は、メタマテリアル素子を透過した電磁波の位相回転量と、電磁波の入射角度との関係をシミュレーションにより解析した結果を示す図である。図３の横軸は、メタマテリアル素子に対する電磁波の入射角度を表す。なおここでの入射角度は、図２のメタマテリアル素子に対して紙面垂直方向から入射する角度を０度としている。図３の縦軸は、横軸が示す入射角度で入射した電磁波の透過波の位相と、入射角度０度で入射した電磁波の透過波の位相と、の位相差を表す。図３のシミュレーション結果から、入射角度が大きくなるほど、０度で入射した電磁波の透過波の位相との位相差が大きくなることが分かる。
【００２３】
図４は、メタマテリアル素子を透過した電磁波の位相回転量と、共振回路のスリット幅との関係をシミュレーションにより解析した結果を示す図である。図４の横軸は、共振回路３０１のスリット幅を表す。縦軸は、横軸が示すスリット幅を持つメタマテリアル素子に、所定の角度で入射する電磁波に対する透過波の位相回転量を表す。図４のシミュレーション結果から、スリット幅が狭いほど、透過波の位相回転量が大きくなることが分かる。
【００２４】
このように、メタマテリアルは、構成や電磁波の入射角度によって異なる透過特性を持つ。そのため、図５の例のように、メタマテリアル４００を電磁波の放射方向に配置することにより、複数の伝搬経路で伝播する電磁波に対して異なる位相回転を与えることができる。
【００２５】
図５は、ＭＩＭＯ伝送を行う無線通信システムにおいて、電磁波の放射方向にメタマテリアルが配置された様子を示す概略図である。図５の例では、アンテナ装置１０１−１による電磁波の放射方向にメタマテリアル４００が配置されている。この場合、メタマテリアル４００は、アンテナ装置１０１−１から放射される、伝搬経路の異なる電磁波に対して、それぞれ異なる位相回転量を与える。
【００２６】
実施形態のアンテナ装置は、このような性質を持つメタマテリアルを備え、メタマテリアルの持つ電磁波の透過特性を動的に変化させる。実施形態のアンテナ装置は、このような構成によって透過波の位相回転量を制御する。このような構成を持つアンテナ装置は、複数の伝搬経路で伝播する電磁波に対して異なる位相回転が生じるようにメタマテリアルを制御することによって、見通し環境でのＭＩＭＯ伝送における空間相関を低減することが可能となる。
【００２７】
＜第１実施形態＞
図６は、第１実施形態のアンテナ装置１の機能構成を示す機能ブロック図である。
アンテナ装置１は、バスで接続されたＣＰＵ（Central Processing Unit）やメモリや補助記憶装置などを備え、制御プログラムを実行する。アンテナ装置１は、制御プログラムの実行によってアンテナ部１１、メタマテリアル１２及びメタマテリアル制御部１３を備える装置として機能する。なお、アンテナ装置１の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。制御プログラムは、電気通信回線を介して送信されてもよい。
【００２８】
アンテナ部１１は、例えば、電磁波を放射するアンテナ素子と金属製の反射板とを備え、特定の周波数帯域の電磁波を反射又は透過させることによって、所定の周波数帯域の電磁波を複数の伝播経路に応じた方向に放射する。
【００２９】
メタマテリアル１２は、アンテナ部１１から電磁波が放射される方向ごとに複数配置される。メタマテリアル１２は、透過する電磁波に対して、入射角度に応じた位相回転量を与える。
【００３０】
メタマテリアル制御部１３は、メタマテリアル１２を透過する電磁波に対して空間相関を低減する位相回転量が付与されるように、メタマテリアル１２を制御する。メタマテリアル１２が透過する電磁波に付与する位相回転量は、メタマテリアル１２に対する電磁波の入射角度に依存する。そのため、本実施形態では、メタマテリアル制御部１３は、メタマテリアル１２の位置や向きなどを変化させることによって電磁波の入射角度を制御する。
【００３１】
以下、メタマテリアル１２に対する電磁波の入射角度を制御する方法の具体例について説明する。
【００３２】
図７は、メタマテリアル１２に対する電磁波の入射角度を制御する第１の具体例を示す図である。
図７（Ａ）は、制御前のメタマテリアル１２の状態を示し、図７（Ｂ）は、制御後のメタマテリアルの状態を示す。図７（Ａ）に示される制御前の状態では、メタマテリアル１２−１及び１２−２は距離ｄ１を隔てた位置に配置されている。制御前の状態において、メタマテリアル１２−１に対する電磁波の入射角度は９０度であり、メタマテリアル１２−２に対する電磁波の入射角度はθ１である。この場合、メタマテリアル制御部１３は、例えば、メタマテリアル１２−１及び１２−２の間隔を変化させることにより、メタマテリアル１２−２に対する電磁波の入射角度を制御する。例えば、図７の例の場合、メタマテリアル制御部１３は、メタマテリアル１２−２を移動させて、メタマテリアル１２−１との間の間隔をｄ１からｄ２に変化させる。その結果、メタマテリアル１２−２への電磁波の入射角度がθ１からθ２に変化する。
【００３３】
図８は、メタマテリアル１２に対する電磁波の入射角度を制御する第２の具体例を示す図である。
図８（Ａ）は、制御前のメタマテリアル１２の状態を示し、図８（Ｂ）は、制御後のメタマテリアルの状態を示す。図８（Ａ）に示される制御前の状態では、アンテナ部１１（アンテナ素子）とメタマテリアル１２−１及び１２−２とは距離Ｄ１を隔てた位置に配置されている。制御前の状態において、メタマテリアル１２−１に対する電磁波の入射角度は９０度であり、メタマテリアル１２−２に対する電磁波の入射角度はθ３である。この場合、メタマテリアル制御部１３は、例えば、アンテナ部１１とメタマテリアル１２−２との間隔を変化させることにより、メタマテリアル１２−２に対する電磁波の入射角度を制御してもよい。例えば、図７の例の場合、メタマテリアル制御部１３は、メタマテリアル１２−２を移動させて、アンテナ部１１との間の間隔をＤ１からＤ２に変化させる。その結果、メタマテリアル１２−２への電磁波の入射角度がθ３からθ４に変化する。
【００３４】
図９は、メタマテリアル１２に対する電磁波の入射角度を制御する第３の具体例を示す図である。
図９（Ａ）は、制御前のメタマテリアル１２の状態を示し、図９（Ｂ）は、制御後のメタマテリアルの状態を示す。図９（Ａ）に示される制御前の状態では、アンテナ部１１とメタマテリアル１２とは、電磁波の入射角度が９０度となる向きに配置されている。この場合、メタマテリアル制御部１３は、例えば、メタマテリアル１２の向きを変化させることにより、メタマテリアル１２に対する電磁波の入射角度を制御してもよい。例えば、図７の例の場合、メタマテリアル制御部１３は、メタマテリアル１２の中心を軸にメタマテリアル１２をθ５だけ回転させる。その結果、メタマテリアル１２への電磁波の入射角度が９０度から９０−θ５度に変化する。
【００３５】
このように構成されたアンテナ装置１は、メタマテリアル１２の位置や向きを変化させることによって、メタマテリアル１２に入射する電磁波の入射角度を、透過波に対して空間相関を低減させる位相回転量が付与されるように制御する。このような機能を備えることにより、アンテナ装置１は、見通し環境におけるＭＩＭＯ伝送において異なる伝搬経路で伝播する電磁波に対して、それぞれ異なる位相回転量を付与することができる。そのため、実施形態のアンテナ装置１は、見通し環境におけるＭＩＭＯ伝送において、空間相関の低減をより狭いスペースで実現することが可能となる。
【００３６】
なお、上述した入射角度の制御方法は、メタマテリアル１２に対する電磁波の入射角度を変える方法の例として示したものであり、入射角度の変更が可能であれば、メタマテリアル制御部１３は、他のどのような制御を行ってもよい。例えば、メタマテリアル制御部１３は、電磁波の入射角度が相対的に変化するように、メタマテリアル１２ではなく、アンテナ部１１の位置や向きを制御してもよい。
【００３７】
＜第２実施形態＞
図１０は、第２実施形態のアンテナ装置の機能構成を示す機能ブロック図である。
第２実施形態のアンテナ装置１ａは、メタマテリアル１２に代えてメタマテリアル１２ａを備える点、メタマテリアル制御部１３に代えてメタマテリアル制御部１３ａを備える点で、第１の実施形態のアンテナ装置１と異なる。アンテナ部１１は、第１実施形態におけるアンテナ部１１と同様である。
【００３８】
メタマテリアル１２ａは、透過特性を変化させる外的要因を自身に印加する構成（以下、「アクティブ構成」という。）を備えたアクティブメタマテリアルである。例えば、実施形態のメタマテリアル１２ａは、アクティブ構成として可変容量ダイオードを備える。可変容量ダイオードが、メタマテリアルに対して電圧を印加することにより、メタマテリアル１２ａは印加された電圧に応じた透過特性を示す。
【００３９】
図１１は、メタマテリアル１２ａを構成するアクティブメタマテリアル素子の概要を示す概略図である。
図１１のアクティブメタマテリアル素子１２１は、メタマテリアル１２を構成するメタマテリアル素子１２２とアクティブ構成としての可変容量ダイオード１２３と含んで構成される。メタマテリアル素子１２２は、図２に示したメタマテリアル素子３００と同様である。可変容量ダイオード１２３は、メタマテリアル素子１２２の中に配置され、共振回路３０１や金属ワイヤー３０２に対して電圧を印加する。アクティブメタマテリアル素子１２１の透過特性は、可変容量ダイオード１２３により印加される電圧値に応じて変化する。
【００４０】
メタマテリアル制御部１３ａは、メタマテリアル１２ａの透過特性が透過波に対して空間相関を低減させる位相回転量が付与するように、メタマテリアル１２ａのアクティブ構成を制御する。本実施形態のアンテナ装置１ａにおいては、具体的には、メタマテリアル制御部１３ａは、可変容量ダイオード１２３がアクティブメタマテリアル素子１２１に印加する電圧値を制御することによって、透過波の位相回転量を制御する。
【００４１】
このように構成された第２実施形態のアンテナ装置１ａは、透過波に位相回転を与えるためのメタマテリアルとしてアクティブメタマテリアルを備える。アクティブメタマテリアルは、印加される外的要因により、自身の透過特性を変化させるアクティブ構成を備える。アンテナ装置１ａは、アクティブメタマテリアルが、透過する電磁波に対して空間相関を低減する位相回転を与えるようにアクティブ構成を制御する。このような機能を備えることにより、実施形態のアンテナ装置１ａは、見通し環境におけるＭＩＭＯ伝送において、空間相関の低減をより狭いスペースで実現することが可能となる。
【００４２】
特に第２実施形態では、アンテナ装置１ａはメタマテリアル（又はアンテナ素子）の位置や向きを制御するのではなく、メタマテリアルの透過特性を動的に変化させる外的要因を制御する。そのため、アンテナ装置１ａは、メタマテリアルの位置や向きの変化に必要な物理的なスペースを確保する必要がなく、より省スペース化を実現することができる。
【００４３】
上述した実施形態におけるアンテナ装置１又は１ａをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４４】
以上、この発明の実施形態について図面を参照して詳述してきたが、具体的な構成はこの実施形態に限られるものではなく、この発明の要旨を逸脱しない範囲の設計等も含まれる。
【符号の説明】
【００４５】
１，１ａ…アンテナ装置、  １１…アンテナ部、  １２，１２−１，１２−２，１２ａ…メタマテリアル、  １２１…アクティブメタマテリアル素子、  １２２…メタマテリアル素子、  １２３…可変容量ダイオード、  １３，１３ａ…メタマテリアル制御部、  １００…送信機、  １０１，１０１−１〜１０１−ｍ…アンテナ装置、  ２００…受信機、  ２０１，２０１−１〜２０１−ｎ…アンテナ装置、  ３００…メタマテリアル素子、  ３０１…共振回路、  ３０１，３０１−１，３０１−２…共振回路（ＳＲＲ：Split Ring Resonator）、  ３０２…金属ワイヤー、  ３０３…基盤、  ３０４…スリット幅、  ４００…メタマテリアル
【図１】
2016208400.tif 000003
【図２】
2016208400.tif 000004
【図３】
2016208400.tif 000005
【図４】
2016208400.tif 000006
【図５】
2016208400.tif 000007
【図６】
2016208400.tif 000008
【図７】
2016208400.tif 000009
【図８】
2016208400.tif 000010
【図９】
2016208400.tif 000011
【図１０】
2016208400.tif 000012
【図１１】
2016208400.tif 000013